【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
ネットワークを介しての商売を容易にするためにコンピュータによって実行される方法であり、
販売品に関する記述及びその販売品に関するユーザが特定した画像を取得することができる複数のサイトのロケーションを含むユーザが供給した情報に基づいて、複数のサイトからユーザが特定した画像を取り入れ、
取れ入れられたユーザが特定した画像に対応するサムネイル画像を生成し、
リモートサイトで提示するためにサムネイル画像をウェブページ上に集合することから成るコンピュータによって実行される方法。
【請求項２】
取り入れられた画像に対応するサムネイル画像を生成することが、
各取り入れられたユーザが特定した画像に対して、
取り入れられたユーザが特定した画像をソースフォーマットから圧縮画像フォーマットに圧縮し、
圧縮画像フォーマットをサムネイル画像フォーマットに変換し、そして
サムネイル画像フォーマットを出力フォーマットに圧縮することからなる請求項１記載のコンピュータによって実行される方法。
【請求項３】
前記ロケーションが、ＵＲＬ（Ｕｎｉｆｏｒｍ Ｒｅｓｏｕｒｃｅ Ｌｏｃａｔｏｒｓ）から成り、ユーザが供給した情報に基づいて複数のサイトからユーザが特定した画像を取り入れる前記段階が、ＵＲＬによって特定された複数のロケーションからユーザが特定した画像をダウンロードすることから成る請求項１記載のコンピュータによって実行される方法。
【請求項４】
前記複数のサイトが、リモートサイトであるために請求項１記載のコンピュータによって実行される方法。
【請求項５】
オンライン売買環境で販売品を表示するコンピュータによって実行される方法であり、
第１のサイトのロケーションに在る第１のユーザが特定した画像に基づいて生成され、且つ第１の販売品と関連する第１のサムネイル画像をローカルサイトに記憶し、
第２のサイトのロケーションに在る第２のユーザが特定した画像に基づいて生成され、且つ第２の販売品と関連する第２のサムネイル画像をローカルサイトに記憶し、
第１及び第２のサムネイル画像を提示のためにウェブページ上で組み合わせること、
から成るコンピュータによって実行される方法。
【請求項６】
第３のサイトで提示するために、前記第１及び第２のサムネイル画像が組み合わされる請求項５記載のコンピュータによって実行される方法
【請求項７】
ローカルサイトで提示するために、前記第１及び第２のサムネイル画像が組み合わされる請求項５記載のコンピュータによって実行される方法
【請求項８】
前記第１及び第２のユーザが特定した画像を取得できるＵＲＬ（Ｕｎｉｆｏｒｍ Ｒｅｓｏｕｒｃｅ Ｌｏｃａｔｏｒｓ）を含むユーザが供給した情報に、それぞれ基づいて、第１及び第２のサイトのロケーションから前記第１及び第２のユーザが特定した画像を取り入れる請求項５記載のコンピュータによって実行される方法。
【請求項９】
オンライン売買環境で販売品を表示するためにコンピュータによって実行される方法であり、
第１のサイトでの第１のユーザが指定した画像に基づき、且つ第１の販売品と関係する第１のサムネイル画像を生成し、
第２のサイトでの第２のユーザが指定した画像に基づき、且つ第２の販売品と関連する第２のサムネイル画像を生成し、
ユーザの照会に応答して、照会が発生されたクライアントの位置で、第１及び第２のサムネイル画像を提示のためにウェブ上で組み合わせること
からなるコンピュータによって実行される方法。
【請求項１０】
ネッワークを介しての商売を容易にするためにコンピュータによって実行される方法であり、
第１のサイトから販売品の一つ以上のサムネイル画像を取得し、
取得されたサムネイル画像を集合し、
第２のサイトのウェブページ上に集合されたサムネイル画像を提示すること
からなるコンピュータで実行される方法。
【請求項１１】
前記集合されたサムネイル画像を提示することが、
所定のページフォーマットを定め、
販売品に対応するサムネイル画像を含み、且つ表示されるべき販売品に対応する販売品情報を取得し、
取得された販売品情報に基づいて所定のページフォーマットを設定することを含む請求項１０記載のコンピュータで実行される方法。
【請求項１２】
第２のサイトのウェブページ上に提示される複数のサムネイル画像の所定の一つが、
所定のサムネイル画像と対応する販売品と関係する名称、
所定のサムネイル画像に対応する販売品に関する現在の価格、及び
所定のサムネイル画像に対応する販売品に対するオークション終了時期、
の内の少なくとも一つと共に提示される請求項１０記載のコンピュータで実行される方法。
【請求項１３】
ＨＴＭＬ（Ｈｙｐｅｒ Ｔｅｘｔ Ｍａｒｋｕｐ Ｌａｎｇｕａｇｅ）を発生する方法であり、
販売品番号を含む販売品と関連する情報を含む、表示のためのデータを有するデータ記憶にアクセスし、そして
販売品に関連する画像に対する参照を含むＨＴＭＬを発生し、前記参照が販売品番号及び画像と関連する画像フォーマットに基づいている方法。
【請求項１４】
オンライン商売環境において、一つ以上の販売品をユーザが事前に見ることを可能にするためにコンピュータによって実行される方法であり、
一つ以上の販売品を事前に見るための照会を受け、そして
ユーザの照会を満たす複数の販売品に対応する複数のサムネイル画像を表示させることからなり、前記複数のサムネイル画像の各々がユーザが特定した画像に基づいて生成されるコンピュータで実行される方法。
【請求項１５】
オンライン売買を容易にするために販売品を表示するためにコンピュータによって実行される方法であり、
第１のサイトでの第１の画像に基づいた第１のサムネイル画像であって、第１の販売品と関係する第１のサムネイル画像にアクセスし、
第２のサイトでの第２の画像に基づいた第２のサムネイル画像であって、第２の販売品と関連する第２のサムネイル画像にアクセスし、
第３のサイトで、第１及び第２のサムネイル画像を提示のためにウェブ上で組み合わせる
ことからなるコンピュータによって実行される方法。
【請求項１６】
前記第１及び第２のサムネイル画像の提示が、
所定のページフォーマットを定め、
販売品に対応するサムネイル画像を含み、表示されるべき販売品に対応する販売品情報を取得し、
取得された販売品情報に基づいて所定のページフォーマットを設定すること
を含む、請求項１５記載のコンピュータによって実行される方法。
【請求項１７】
第３のサイトでウェブページに提示されるサムネイル画像の何れかが、
所定の一つのサムネイル画像が対応する販売品と関係する名称、
所定の一つのサムネイル画像に対応する販売品に関する現在の価格、及び
所定の一つのサムネイル画像に対応する販売品に対するオークション終了時期、
の内の少なくとも一つと共に提示される請求項１５記載のコンピュータで実行される方法。
【請求項１８】
オンライン商売環境において、一つ以上の販売品をユーザが事前に見ることを可能にするためにコンピュータによって実行される方法であり、
一つ以上の販売品を事前に見るための照会を受け、そして
照会を満たす複数の販売品に対応する複数のサムネイル画像を表示させることからなり、前記複数のサムネイル画像の各々が特定した画像に基づいて生成されるコンピュータで実行される方法。
【請求項１９】
前記特定した画像がユーザが特定した画像である請求項１８記載のコンピュータで実行される方法。
【請求項２０】
前記ユーザが特定した画像が、画像を見ることができるロケーションを含む請求項１９記載のコンピュータで実行される方法。
【請求項２１】
販売品を提示するコンピュータで実行される方法であり、
販売品を事前に見るための照会に応答して、照会を満たす一つ以上の販売品であって、販売品についての情報と関連する販売品を取得し、
取得された販売品を集合し、
この集合された販売品をウェブページ上に提示すること
を含むコンピュータで実行される方法。
【請求項２２】
ウェブページに提示される集合された販売品の何れかが、
所定の販売品と関係する名称、
所定の販売品に関する現在の価格、及び
所定の販売品に対するオークション終了時期、
の内の少なくとも一つと共に提示される請求項２１記載のコンピュータで実行される方法。
【請求項２３】
販売品の各々が販売品を提示する画像と関連している請求項２１記載のコンピュータで実行される方法。
【請求項２４】
販売品の各々が販売品を提示するテキストと関連している請求項２３記載のコンピュータで実行される方法。